(57)【要約】【課題】使用者がマッサージ効果と温熱効果とを得ることができるマッサージ機を提供する。【解決手段】マッサージ機１０において、マッサージ部Ｍをマッサージ機本体１１の一面１１ａ側に設けるとともに、ヒータ部Ｈをマッサージ機本体１１の他面１１ｂ側に設け、マッサージ機本体１１の厚み方向にマッサージ部Ｍとヒータ部Ｈとを重ねた。【選択図】図１
2013000526.tif 000002
【特許請求の範囲】
【請求項１】
エアバックを用いてマッサージを行うマッサージ部がマッサージ機本体に設けられたマッサージ機において、
前記マッサージ部が前記マッサージ機本体の一面側に設けられ、使用者に温熱効果を付与するヒータ部が前記マッサージ機本体の一面側とは反対側である他面側に設けられたことを特徴とするマッサージ機。
【請求項２】
請求項１に記載のマッサージ機において、
前記マッサージ部の一部を構成する基材には前記エアバックを収容する収容凹部が形成され、
前記マッサージ機本体の厚み方向において、前記収容凹部とは重ならない前記基材の部位に、前記エアバックにエアを供給する加圧ポンプと、前記加圧ポンプ及び前記ヒータ部を制御する制御部の一部を構成する制御基板とのうちの少なくとも一方が配置されていることを特徴とするマッサージ機。
【請求項３】
請求項１又は請求項２に記載のマッサージ機において、
前記エアバックは、前記マッサージ機本体の厚み方向に対して直交する幅方向に延びる基準線を挟んで所定の間隔をあけて配置されていることを特徴とするマッサージ機。
【発明の詳細な説明】
【技術分野】
【０００１】
本発明は、マッサージ機に関するものである。
【背景技術】
【０００２】
例えば、背中、腰等をマッサージするために椅子等に沿わせて使用されるクッション型のマッサージ機が特許文献１に開示されている。特許文献１のマッサージ機は、クッション材よりなる表側クッション部材及び裏側クッション部材と、これら両クッション部材の間に介在される振動体とを有している。振動体の周囲には比較的硬い材質からなるスペーサが配設されている。また、表側クッション部材及び裏側クッション部材それぞれと振動体との間には振動伝達部材が介在されている。そして、振動体から発せられた振動が、各振動伝達部材を介して表側クッション部材及び裏側クッション部材に伝達されることで、使用者に対して一定のマッサージを行うことができるようになっている。
【先行技術文献】
【特許文献】
【０００３】
【特許文献１】特開平１０−５２９７号公報
【発明の概要】
【発明が解決しようとする課題】
【０００４】
しかしながら、特許文献１のマッサージ機では、使用者はマッサージ効果しか得ることができない。
本発明は、上記課題を解決するためになされたものであって、その目的は、使用者がマッサージ効果と温熱効果とを得ることができるマッサージ機を提供することにある。
【課題を解決するための手段】
【０００５】
上記課題を解決するために、本発明のマッサージ機は、エアバックを用いてマッサージを行うマッサージ部がマッサージ機本体に設けられたマッサージ機において、前記マッサージ部が前記マッサージ機本体の一面側に設けられ、使用者に温熱効果を付与するヒータ部が前記マッサージ機本体の一面側とは反対側である他面側に設けられたことを特徴とする。
【０００６】
このマッサージ機において、前記マッサージ部の一部を構成する基材には前記エアバックを収容する収容凹部が形成され、前記マッサージ機本体の厚み方向において、前記収容凹部とは重ならない前記基材の部位に、前記エアバックにエアを供給する加圧ポンプと、前記加圧ポンプ及び前記ヒータ部を制御する制御部の一部を構成する制御基板とのうちの少なくとも一方が配置されていることが好ましい。
【０００７】
このマッサージ機において、前記エアバックは、前記マッサージ機本体の厚み方向に対して直交する幅方向に延びる基準線を挟んで所定の間隔をあけて配置されていることが好ましい。
【発明の効果】
【０００８】
本発明によれば、使用者がマッサージ効果と温熱効果とを得ることができる。
【図面の簡単な説明】
【０００９】
【図１】（ａ）は実施形態におけるマッサージ機をマッサージ部側から平面視した図、（ｂ）はマッサージ機をヒータ部側から平面視した図である。
【図２】マッサージ機本体の一部分解斜視図である。
【図３】マッサージ機本体の内部を模式的に示す図である。
【図４】マッサージ機の側面図である。
【図５】エアバックの回路図である。
【図６】マッサージ機の断面図である。
【図７】（ａ）は使用者がマッサージ機を使用している状態を示す図、（ｂ）は使用者がマッサージ効果を得ている状態を示す図、（ｃ）は使用者が温熱効果を得ている状態を示す図である。
【図８】別の実施形態を示すマッサージ機をマッサージ部側から平面視した図である。
【図９】アタッチメントを示す斜視図である。
【発明を実施するための形態】
【００１０】
以下、本発明をクッション型のマッサージ機に具体化した一実施形態を図面に従って説明する。
図１（ａ）及び（ｂ）に示すように、マッサージ機１０は略円盤状のマッサージ機本体１１を有している。マッサージ機本体１１の一面１１ａ側にはマッサージ部Ｍが設けられるとともに、一面１１ａ側とは反対側である他面１１ｂ側にはヒータ部Ｈが設けられている。マッサージ機本体１１は、マッサージ部Ｍとヒータ部Ｈとが重ねられて形成されるとともに、このマッサージ部Ｍとヒータ部Ｈとが重なる方向をマッサージ機本体１１の厚み方向とする。また、マッサージ機本体１１の厚み方向に直交するマッサージ機本体１１の径方向をマッサージ機本体１１の幅方向とする。
【００１１】
まず、マッサージ部Ｍについて説明する。
図２に示すように、マッサージ機本体１１は略円盤状の本体部１２を有している。本体部１２の一面側にはマッサージ部Ｍを収容する平面視円孔状のマッサージ部収容凹部１２ａが形成されている。マッサージ部収容凹部１２ａの内側面には、嵌合凹部１２ｂが周方向に所定の間隔をあけて複数形成されている。マッサージ部収容凹部１２ａには円盤状の基材１３が収容されている。基材１３は、マッサージ部収容凹部１２ａの底面に載置される有底円筒状の第１基材１４と、第１基材１４の上面に載置される有蓋円筒状の第２基材１５とを組み付けて構成されている。
【００１２】
第２基材１５の外周面には、係止突起１５ｆが周方向に所定の間隔をあけて複数突設されている。各係止突起１５ｆは、第２基材１５の外周面から外方へ延びる延在部１５１ｆと、延在部１５１ｆの先端から第２基材１５の周方向に延びる係止部１５２ｆとから構成されている。第２基材１５の上面には一対の収容凹部１５ａ，１５ｂが形成されている。各収容凹部１５ａ，１５ｂは平面視円孔状をなすとともに、各収容凹部１５ａ，１５ｂには蛇腹状をなすエアバック２１，２２がそれぞれ収容される。
【００１３】
第２基材１５の上面にはクッション部材１６が載置される。クッション部材１６には、各エアバック２１，２２が通過可能な一対の通過部１６ａ，１６ｂが形成されている。各通過部１６ａ，１６ｂは平面視円孔状をなしており、各通過部１６ａ，１６ｂにおける隣り合う側の一部分が互いに繋がっている。クッション部材１６が第２基材１５の上面に載置された状態において、各通過部１６ａ，１６ｂは各収容凹部１５ａ，１５ｂと重なるようにクッション部材１６に形成されている。
【００１４】
マッサージ機本体１１には、クッション部材１６を覆う有蓋円筒状のカバー部材３１が取り付けられる。カバー部材３１は、伸縮性を有するカバー３２と、このカバー３２の開口縁に縫い付けられた不完全環状の取付片３３とを有している。取付片３３の側面には取付部としての取付孔３３ａが周方向に所定の間隔をあけて複数設けられている。よって、各取付孔３３ａは、取付片３３の側面において、カバー部材３１の中心から放射状に延びる直線上に配置されている。各取付孔３３ａは、その内側を第２基材１５の係止突起１５ｆが通過可能に形成されている。
【００１５】
図３に示すように、一対のエアバック２１，２２（一対の収容凹部１５ａ，１５ｂ）は、マッサージ機本体１１の幅方向に延びる基準線Ｋを挟んで所定の間隔ｈをあけて対称に配置されている。ここで、「所定の間隔ｈ」は、使用者７１の背骨７１ｂに基準線Ｋが沿うようにマッサージ機１０を配置すると、各収容凹部１５ａ，１５ｂに収容される各エアバック２１，２２が背骨７１ｂと重ならなくなるように間隔ｈが設定されている。
【００１６】
マッサージ機本体１１の厚み方向において、一対の収容凹部１５ａ，１５ｂとは重ならない第１基材１４の部位には、各エアバック２１，２２に対してエアを供給する加圧ポンプＰと、加圧ポンプＰ及びヒータ部Ｈを制御する制御部Ｓの一部を構成する制御基板ＳＫとが配置されている。制御基板ＳＫは、第１基材１４に対してマッサージ機本体１１の厚み方向に沿うように立設された状態で、図示しない支持部により支持されている。さらに、マッサージ機本体１１の厚み方向において、一対の収容凹部１５ａ，１５ｂとは重ならない第１基材１４の部位には、各エアバック２１，２２内に供給されたエアを大気へ排出するための電磁弁Ｖが配置されている。すなわち、加圧ポンプＰ、制御基板ＳＫ及び電磁弁Ｖは、一対の収容凹部１５ａ，１５ｂ周りに配置されている。
【００１７】
図４に示すように、マッサージ機本体１１（本体部１２）の側面には、操作部１９が設けられている。図４において拡大して示すように、操作部１９には、マッサージ機１０のマッサージモードをＯＮ又はＯＦＦに切り替えるマッサージモード切替ボタンＢ１と、マッサージ機１０のヒータモードをＯＮ又はＯＦＦに切り替えるヒータモード切替ボタンＢ２とを有している。
【００１８】
図５に示すように、加圧ポンプＰにはエアチューブＣの一端が接続されている。エアチューブＣの他端側は、一方のエアバック２１内に連通する第１連通部Ｃ１と、他方のエアバック２２内に連通する第２連通部Ｃ２とに分岐されている。また、エアチューブＣには排気通路Ｅが接続されるとともに、排気通路Ｅには電磁弁Ｖが設けられている。電磁弁Ｖが閉弁された状態では、加圧ポンプＰから供給されたエアはエアチューブＣを介して各エアバック２１，２２内に供給されるようになっている。一方、電磁弁Ｖが開弁された状態では、各エアバック２１，２２内に供給されたエアが、排気通路Ｅ及び電磁弁Ｖを介して大気へ排出されるようになっている。加圧ポンプＰ及び電磁弁Ｖの駆動は、制御部Ｓにより制御されるようになっている。
【００１９】
使用者７１が操作部１９のマッサージモード切替ボタンＢ１を押して、マッサージモードをＯＮにすると、制御部Ｓは、加圧ポンプＰを駆動するように加圧ポンプＰを制御するとともに、電磁弁Ｖが閉弁になるように電磁弁Ｖを制御する。すると、加圧ポンプＰからエアチューブＣに供給されたエアが、第１連通部Ｃ１を介して一方のエアバック２１内に供給されて、一方のエアバック２１が膨張するとともに、加圧ポンプＰからエアチューブＣに供給されたエアが第２連通部Ｃ２を介して他方のエアバック２２内に供給されて、他方のエアバック２２が膨張するようになっている。各エアバック２１，２２は、蛇腹が伸張するように膨張し、カバー３２をマッサージ機本体１１側から押し出す方向へ膨張する。
【００２０】
また、各エアバック２１，２２内にエアが所定量供給されると、制御部Ｓは、加圧ポンプＰの駆動を一時停止するように加圧ポンプＰを制御するとともに、電磁弁Ｖが開弁状態になるように電磁弁Ｖを制御する。すると、各エアバック２１，２２内のエアが、排気通路Ｅ及び電磁弁Ｖを介して大気へ排出されて、各エアバック２１，２２が膨張状態から元の膨張する前の状態に戻る。
【００２１】
マッサージ部収容凹部１２ａ内にマッサージ部Ｍを収容するには、まず、マッサージ部収容凹部１２ａの底面に第１基材１４を載置し、第１基材１４に対して加圧ポンプＰ、制御基板ＳＫ及び電磁弁Ｖを配置しておく。続いて、各収容凹部１５ａ，１５ｂにエアバック２１，２２を収容し、第２基材１５の上面にクッション部材１６を載置する。続いて、カバー部材３１を第２基材１５及びクッション部材１６を覆うように配置する。このとき、各取付孔３３ａの内側に各係止突起１５ｆを通過させる。すると、取付片３３における各取付孔３３ａ周りに各係止突起１５ｆの係止部１５２ｆが係止され、カバー部材３１が第２基材１５に取り付けられる。
【００２２】
そして、図６に示すように、カバー部材３１、クッション部材１６及び第２基材１５をマッサージ部収容凹部１２ａに収容する。このとき、図６において拡大して示すように、各係止部１５２ｆの各取付孔３３ａから外方へ突出している部位が、各嵌合凹部１２ｂに嵌合される。この各係止部１５２ｆと各嵌合凹部１２ｂとの嵌合により、カバー部材３１、クッション部材１６及び第２基材１５が本体部１２に取り付けられ、カバー部材３１がマッサージ機本体１１に取り付けられる。このようにして、マッサージ部収容凹部１２ａ内にマッサージ部Ｍが収容され、マッサージ機本体１１の一面１１ａ側にマッサージ部Ｍが配置される。
【００２３】
次に、ヒータ部Ｈについて説明する。
本体部１２の他面側にはヒータ部Ｈを収容するヒータ部収容孔１２ｃが形成されている。ヒータ部収容孔１２ｃ内にはヒータ素子Ｈ１が収容されている。ヒータ素子Ｈ１は、使用者７１が操作部１９のヒータモード切替ボタンＢ２を押して、ヒータモードをＯＮにすると、図示しない電圧印加部から所定の電圧（１２Ｖ）がヒータ素子Ｈ１に印加されて、ヒータ素子Ｈ１自身が発熱するようになっている。また、ヒータ部収容孔１２ｃ内には、アルミニウム製のヒータプレートＨ２がヒータ素子Ｈ１と接触した状態で収容されている。そして、ヒータ素子Ｈ１から発せられる熱がヒータプレートＨ２に伝達されるようになっている。さらに、ヒータ部収容孔１２ｃにはヒータプレートＨ２全体を覆うとともにヒータ部収容孔１２ｃの開口を閉鎖するヒータカバーＨ３が取り付けられている。このようにして、マッサージ機本体１１の他面１１ｂ側にヒータ部Ｈが配置され、本実施形態のマッサージ機１０が構成される。
【００２４】
次に、本実施形態の作用について説明する。
図７（ａ）に示すように、本実施形態のマッサージ機１０は、使用者７１が椅子７２に座ってマッサージ機１０を椅子７２の背凭れ７２ａと背中７１ａとの間に挟んだ状態で使用する。使用者７１は、操作部１９のマッサージモード切替ボタンＢ１を押してマッサージモードをＯＮにし、マッサージ機本体１１の一面１１ａ側を使用者７１の背中７１ａに対向させた状態で、基準線Ｋが使用者７１の背骨７１ｂに沿うようにマッサージ機１０を椅子７２の背凭れ７２ａと背中７１ａとの間に挟み込む。すると、図７（ｂ）に示すように、膨張したエアバック２１，２２によって、背中７１ａにおける背骨７１ｂを挟んだ両側の部位（図７（ｂ）において斜線を付した背中７１ａの部位）が押し付けられ、使用者７１はマッサージ効果を得ることができる。
【００２５】
このとき、エアバック２１，２２の膨張に追従してカバー３２がエアバック２１，２２の膨張方向へ押し出される。ここで、取付片３３における各取付孔３３ａ周りに各係止突起１５ｆの係止部１５２ｆが係止され、さらに、各係止部１５２ｆの各取付孔３３ａから外方へ突出している部位が、各嵌合凹部１２ｂに嵌合されている。すなわち、カバー部材３１のマッサージ機本体１１に対する固定箇所が、カバー部材３１の中心から放射状に延びる直線上に存在している。このため、エアバック２１，２２の膨張に追従してカバー３２がマッサージ機本体１１側から押し出されても、このカバー３２が押し出されることにつられてカバー部材３１がマッサージ機本体１１から外れようとする力が分散され、カバー部材３１がマッサージ機本体１１から外れてしまうことが防止されている。
【００２６】
また、マッサージモードをＯＮにした状態で、使用者７１が操作部１９のヒータモード切替ボタンＢ２を押してヒータモードをＯＮにする。そして、マッサージ機本体１１の他面１１ｂ側を使用者７１の背中７１ａに対向させた状態で、マッサージ機１０を椅子７２の背凭れ７２ａと背中７１ａとの間に挟み込む。すると、図７（ｃ）に示すように、加温されたヒータ部Ｈによって背中７１ａの一部分（図７（ｃ）において斜線を付した背中７１ａの一部分）が温められ、使用者７１は温熱効果を得ることができる。このとき、エアバック２１，２２の膨張によって背凭れ７２ａを押圧することで、マッサージ機１０全体が背中７１ａ側に移動するため、マッサージ機本体１１の他面１１ｂ側が背中７１ａに押し付けられ、使用者７１は効率良く温熱効果を得ることができる。
【００２７】
次に、本実施形態の特徴的な効果を記載する。
（１）マッサージ機１０において、マッサージ部Ｍをマッサージ機本体１１の一面１１ａ側に設けるとともに、ヒータ部Ｈをマッサージ機本体１１の他面１１ｂ側に設け、マッサージ機本体１１の厚み方向にマッサージ部Ｍとヒータ部Ｈとを重ねた。よって、マッサージ機本体１１の幅方向に沿ってヒータ部Ｈとマッサージ部Ｍとを並設する場合に比べると、マッサージ機本体１１が幅方向へ大型化することがない。そして、使用者７１がマッサージ効果を得たいときには、マッサージ機本体１１の一面１１ａ側がマッサージ効果を得たい部位に接触するようにマッサージ機１０を配置させて使用することで、使用者７１はマッサージ効果を得ることができる。また、使用者７１が温熱効果を得たいときには、マッサージ機本体１１の他面１１ｂ側が温熱効果を得たい部位に接触するようにマッサージ機１０を配置させて使用することで、使用者７１は温熱効果を得ることができる。よって、使用者７１はマッサージ効果と温熱効果とを効率良く得ることができる。
【００２８】
（２）マッサージ機本体１１の厚み方向において、各収容凹部１５ａ，１５ｂとは重ならない第１基材１４の部位には、加圧ポンプＰ及び制御基板ＳＫが配置されている。よって、マッサージ機本体１１の厚み方向において、各収容凹部１５ａ，１５ｂと重なる第１基材１４の部位に加圧ポンプＰ及び制御基板ＳＫが配置されている場合に比べると、マッサージ機本体１１の厚み方向において、マッサージ機１０全体を小型化することができる。
【００２９】
（３）各エアバック２１，２２は、マッサージ機本体１１の幅方向に延びる基準線Ｋを挟んで所定の間隔ｈをあけて配置されている。よって、使用者７１は、基準線Ｋを背骨７１ｂに合わせてマッサージ機１０を使用することで、各エアバック２１，２２が背骨７１ｂに重ならなくなり、背骨７１ｂに刺激を与えることなくマッサージを行うことできるため、マッサージ機１０の使い勝手を向上させることができる。
【００３０】
（４）カバー部材３１には、複数の取付孔３３ａが放射状に広がるように延びる直線上に配置されている。すなわち、カバー部材３１とマッサージ機本体１１との固定箇所が、放射状に広がるように延びる直線上に存在している。このため、エアバック２１，２２の膨張に追従してカバー３２がエアバック２１，２２の膨張方向へ押し出されても、このカバー３２が押し出されることにつられてカバー部材３１がマッサージ機本体１１から外れようとする力が各固定箇所に分散され、カバー部材３１がマッサージ機本体１１から外れてしまうことを防止することができる。
【００３１】
（５）複数の取付孔３３ａは、不完全環状をなす取付片３３の側面に配置されている。つまり、複数の取付孔３３ａは同一円周上に配置されている。よって、カバー３２が押し出されることにつられてカバー部材３１がマッサージ機本体１１から外れようとする力が各固定箇所に均等に分散され、カバー部材３１がマッサージ機本体１１から外れてしまうことをさらに防止し易くすることができる。
【００３２】
（６）マッサージ機本体１１は円盤状になっている。よって、例えば、マッサージ機本体１１が四角板状である場合に比べると、マッサージ機本体１１全体をコンパクトにすることができ、マッサージ機１０の使い勝手を向上させることができる。
【００３３】
尚、本発明の実施形態は、以下のように変更してもよい。
・実施形態において、カバー３２に、マッサージ効果を変えるアタッチメントを取り付けるためのアタッチメント用取付部を、エアバック２１，２２と重なる位置に設けてもよい。例えば、図８に示すように、カバー３２の上面であって、エアバック２１，２２と重なる位置には、図９に示すアタッチメント４０が収容可能なアタッチメント用取付部としてのアタッチメント収納部４１が設けられている。アタッチメント収納部４１は、伸縮性を有する帯状部材４１ａの周縁部の一辺４１ｂを除く全ての縁部をカバー３２に対して縫い付けることで、帯状部材４１ａとカバー３２の上面との間に形成される。また、アタッチメント４０には、ツボ押し部４０ａが複数（この実施形態では４つ）設けられている。
【００３４】
そして、アタッチメント４０は、帯状部材４１ａにおけるカバー３２とは縫い付けられていない一辺４１ｂ側に形成された開口４１ｃを介してアタッチメント収納部４１内に収納される。これにより、使用者７１は、アタッチメント収納部４１内にアタッチメント４０が収納された状態のマッサージ機１０を用いることで、各ツボ押し部４０ａにより指圧の感覚を得ることができ、マッサージ感が単調になってしまうことを回避することができる。
【００３５】
・実施形態において、マッサージ機本体１１は円盤状でなくてもよく、例えば、四角板状であってもよい。
・実施形態において、各取付孔３３ａは同一円周上に配置されていたが、これに限らず、各取付孔３３ａの配置位置は特に限定されるものではない。
【００３６】
・実施形態において、取付孔３３ａの個数は特に限定されるものではない。
・実施形態において、各エアバック２１，２２は、基準線Ｋを挟むように配置されていなくてもよく、各エアバック２１，２２の配置位置は特に限定されるものではない。
【００３７】
・実施形態において、エアバック２１，２２の個数は特に限定されるものではない。
・実施形態では、マッサージ機本体１１の厚み方向において、各収容凹部１５ａ，１５ｂとは重ならない第１基材１４の部位に、加圧ポンプＰ及び制御基板ＳＫが配置されていたが、これに限らない。例えば、マッサージ機本体１１の厚み方向において、各収容凹部１５ａ，１５ｂと重なる第１基材１４の部位に加圧ポンプＰ及び制御基板ＳＫが配置されていてもよい。
【００３８】
・実施形態では、マッサージ機本体１１の厚み方向において、各収容凹部１５ａ，１５ｂとは重ならない第１基材１４の部位に、加圧ポンプＰ及び制御基板ＳＫが配置されていたが、これに限らない。マッサージ機本体１１の厚み方向において、各収容凹部１５ａ，１５ｂとは重ならない第１基材１４の部位に、加圧ポンプＰのみが配置されていてもよいし、制御基板ＳＫのみが配置されていてもよい。
【００３９】
・実施形態では、マッサージモードをＯＮにした状態でヒータモードをＯＮにして、マッサージ機１０を使用したが、これに限らず、マッサージモードをＯＦＦにしてからヒータモードをＯＮにして、マッサージ機１０を使用してもよい。
【００４０】
・実施形態では、マッサージ機１０を、使用者７１が椅子７２に座ってマッサージ機１０を椅子７２の背凭れ７２ａと背中７１ａとの間に挟んだ状態で使用したが、これに限らず、マッサージ機１０の使用態様については特に限定されるものではない。
【００４１】
次に、上記実施形態及び別例から把握できる技術的思想を以下に追記する。
（イ）請求項１〜請求項３のいずれか一項に記載のマッサージ機において、前記エアバックを覆う伸縮性を有するカバーを備えたカバー部材が前記マッサージ機本体に取り付けられ、前記カバー部材には、前記マッサージ機本体に対して前記カバー部材を取り付けるための取付部が複数設けられるとともに、前記複数の取付部は、放射状に広がるように延びる直線上に配置されていることを特徴とするマッサージ機。
【００４２】
（ロ）前記技術的思想（イ）に記載のマッサージ機において、前記カバーには、マッサージ効果を変えるアタッチメントを取り付けるためのアタッチメント用取付部が、前記エアバックと重なる位置に設けられていることを特徴とするマッサージ機。
【符号の説明】
【００４３】
Ｈ…ヒータ部、Ｋ…基準線、Ｍ…マッサージ部、Ｐ…加圧ポンプ、Ｓ…制御部、ＳＫ…制御基板、１０…マッサージ機、１１…マッサージ機本体、１１ａ…一面、１１ｂ…他面、１３…基材、１５ａ，１５ｂ…収容凹部、２１，２２…エアバック、３１…カバー部材、３２…カバー、３３ａ…取付部としての取付孔、４０…アタッチメント、４１…アタッチメント用取付部としてのアタッチメント収納部、７１…使用者。
【図１】
2013000526.tif 000003
【図２】
2013000526.tif 000004
【図３】
2013000526.tif 000005
【図４】
2013000526.tif 000006
【図５】
2013000526.tif 000007
【図６】
2013000526.tif 000008
【図７】
2013000526.tif 000009
【図８】
2013000526.tif 000010
【図９】
2013000526.tif 000011